(57)【要約】【課題】副搬送波の周波数領域を選択して抽出するために周波数調整が必須であるバンドパスフィルタを必要とせずに実現する。【解決手段】副搬送波の周波数領域で変調された変調信号を、変調される前の周波数領域の信号に復調する赤外線受信回路１００であって、上記変調信号の周波数領域を、当該変調信号が存在する周波数領域から、少なくとも上記変調される前の周波数領域に変換する整流回路１０５と、整流回路１０５にて変換された信号のうち、変調される前の周波数領域よりも高い周波数領域の信号を除去するローパスフィルタ１０６とを備える。【選択図】図１
2008187540.tif 000002
【特許請求の範囲】
【請求項１】
副搬送波の周波数領域で変調された変調信号を、変調される前の周波数領域の信号に復調する受信復調回路であって、
上記変調信号の周波数領域を、当該変調信号が存在する周波数領域から、少なくとも上記変調される前の周波数領域に変換する周波数領域変換手段と、
上記周波数領域変換手段にて変換された信号のうち、変調される前の周波数領域よりも高い周波数領域の信号を除去するノイズ除去手段とを備えることを特徴とする受信復調回路。
【請求項２】
上記ノイズ除去手段は、上記変調される前の周波数領域を含む通過帯域を有するローパスフィルタであることを特徴とする請求項１に記載の受信復調回路。
【請求項３】
上記ローパスフィルタは、１次のローパスフィルタであることを特徴とする請求項２に記載の受信復調回路。
【請求項４】
上記周波数領域変換手段は、上記変調信号を全波整流する全波整流回路であることを特徴とする請求項１に記載の受信復調回路。
【請求項５】
上記周波数領域変換手段の前段に、上記副搬送波の周波数領域よりも低い周波数領域の信号を除去するハイパスフィルタを備えることを特徴とする請求項１に記載の受信復調回路。
【請求項６】
光通信によって受信した副搬送波の周波数領域で変調された変調信号を、変調される前の周波数領域の信号に復調する受信復調回路であって、
上記光通信の受信によって光電流信号として入力された上記変調信号を、電圧信号の上記変調信号に変換する電流電圧変換手段と、
上記電流電圧変換手段から出力された変調信号の周波数領域を、当該変調信号が存在する周波数領域から、少なくとも上記変調される前の周波数領域に変換する周波数領域変換手段と、
上記周波数領域変換手段にて変換された信号のうち、変調される前の周波数領域よりも高い周波数領域の信号を除去するノイズ除去手段と、
上記ノイズ除去手段から出力された信号のパルスの有無を検出する検出回路とを備えることを特徴とする受信復調回路。
【請求項７】
上記周波数領域変換手段の後段、かつ、上記ノイズ除去手段の前段に、上記周波数領域変換手段から出力された信号を増幅する増幅回路を備えることを特徴とする請求項６に記載の受信復調回路。
【請求項８】
上記電流電圧変換手段は、上記周波数領域変換手段と、上記副搬送波の周波数領域よりも低い周波数領域の信号を除去するハイパスフィルタとを内蔵して構成されることを特徴とする請求項６に記載の受信復調回路。
【請求項９】
上記内蔵して構成した電流電圧変換手段は、
上記光通信の受信によって光電流信号としての変調信号が入力される入力部と、
一方の端子が上記入力部に接続され、他方の端子が接地またはインピーダンス素子に接続される第１抵抗と、
一方の端子が上記入力部に接続される第１容量素子と、
反転入力端子、非反転入力端子、反転出力端子、および非反転出力端子を有しており、上記非反転入力端子が上記第１容量素子の他方の端子に接続される差動増幅回路と、
一方の端子が上記非反転入力端子に接続され、他方の端子が上記反転出力端子に接続される第２抵抗と、
一方の端子が上記反転入力端子に接続され、他方の端子が上記非反転出力端子に接続される第３抵抗と、
第１入力端子が上記差動増幅回路の非反転出力端子に接続され、第２入力端子が上記差動増幅回路の反転出力端子に接続されるＯＲ回路とにより構成されることを特徴とする請求項８に記載の受信復調回路。
【請求項１０】
副搬送波の周波数領域で変調された変調信号を、変調される前の周波数領域の信号に復調する受信復調方法であって、
上記変調信号の周波数領域を、当該変調信号が存在する周波数領域から、少なくとも上記変調される前の周波数領域に変換するステップと、
上記ステップにて変換された信号のうち、変調される前の周波数領域よりも高い周波数領域の信号を除去するステップとを含むことを特徴とする受信復調方法。
【請求項１１】
請求項１〜９のいずれか１項に記載の受信復調回路を搭載することを特徴とする電子機器。
【発明の詳細な説明】
【技術分野】
【０００１】
本発明は、受信復調回路、受信復調方法、および電子機器に関するものである。
【背景技術】
【０００２】
従来、副搬送波によって変調された信号を受信する赤外線リモコン受信機などでは、受信した変調信号を復調する機能を有する赤外線受信回路（受信復調回路）が備えられている。また、赤外線受信回路は、集積回路内で実現されている。
【０００３】
赤外線受信回路では、信号光以外の内部雑音や蛍光灯ノイズなどを除去するために、上記受信機内で副搬送波周波数に合った中心周波数を有するバンドパスフィルタが備えられている。これにより、赤外線受信回路は必要なＳ／Ｎ比を確保している。
【０００４】
図８は、従来のバンドパスフィルタ５０７を備えた赤外線受信回路５００の構成を示すブロック図である。
【０００５】
図９（ａ）〜（ｇ）は、赤外線受信回路５００の各部における、各出力の信号波形を示す図である。
【０００６】
赤外線受信回路５００は、赤外線リモコン受信機の受信システムに搭載されており、一般的に、フォトダイオード５０１から入力（ＩＮ）される光電流信号が、集積化された受信チップ５５０において復調されて出力（ＯＵＴ）される。そして、その出力は、電子機器を制御するマイコンなどに接続される。
【０００７】
光電流信号ｉ＿ｉｎは、３０ＫＨｚ〜６０ＫＨｚ程度の決められたキャリアで変調されたＡＳＫ信号である。光電流信号ｉ＿ｉｎは、図９（ａ）に示すような波形を有しており、一般的には、３８ＫＨｚのキャリアで変調された信号である。
【０００８】
受信チップ５５０において、光電流信号ｉ＿ｉｎは、初段アンプ（ＨＡ）５０２、２段目アンプ（２ｎｄＡＭＰ）５０５、３段目アンプ（３ｒｄＡＭＰ）５０６で増幅され、キャリアの周波数にあわせたバンドパスフィルタ（ＢＰＦ）５０７でキャリア成分が取り出される。ＢＰＦ５０７の出力信号ｂｐｆ＿ｏｕｔは、図９（ｂ）に示すような波形を有している。
【０００９】
続いて、次段の検波回路５０９にてキャリアが検出される。検波回路５０９の出力信号Ｓｉｇは、ＢＰＦ５０７の出力信号ｂｐｆ＿ｏｕｔと同様に、図９（ｂ）に示すような波形を有している。また、キャリア検出レベルＤｅｔが、図９（ｂ）に示すように設定される。
【００１０】
続いて、積分回路５１０にてキャリアのある時間で積分されて、ヒステリシスコンパレータ回路５１１でキャリアの有無が判別される。積分回路５１０の出力信号Ｉｎｔおよびヒステリシスコンパレータ回路５１１の閾値は、図９（ｃ）に示すような波形を有している。
【００１１】
最後に、キャリアの有無によりディジタル信号が出力される。最終の出力信号ｏｕｔは、図９（ｄ）に示すような波形を有している。
【００１２】
ここで、ＢＰＦ５０７では、素子のバラツキにより中心周波数が大きくずれるという問題点がある。それゆえ、ｆｏトリミング回路５０８をＢＰＦ５０７に接続するように設けることによって、赤外線受信回路の受信テスト工程において、トリミングによりＢＰＦ５０７の中心周波数を調整することが不可欠となっている。
【００１３】
バンドパスフィルタ５０７の中心周波数のトリミングが必要な理由について、信号スペクトルを用いて説明する。
【００１４】
図１０は、副搬送波方式の赤外線リモコンの発光周波数を示すスペクトル図である。横軸が周波数、縦軸が相対振幅を示すイメージである。
【００１５】
図１０では、ＡおよびＢにより構成される信号成分がベースバンドスペクトラムである。Ａがベースバンド信号成分を示しており、Ｂがベースバンド信号の高調波成分を示している。
【００１６】
ＣおよびＤにより構成される信号成分が変調後データスペクトラムである。Ｃが変調された副搬送波周波数の信号成分を示しており、Ｄがベースバンド高調波成分を示している。また、図１０では、４０ＫＨｚの副搬送波を使用する場合の例を示しており、元の信号（ベースバンド信号）の周波数成分が、副搬送波周波数（一般的に３０ＫＨｚから６０ＫＨｚ）を中心に変調されている。このＣの信号成分が、赤外線受信回路において復調するための必要スペクトラムである。
【００１７】
Ｅにより構成される信号成分が変調後データスペクトラムの高調波スペクトラムである。Ｅは３倍の高調波成分を示しており、赤外線受信回路において不要スペクトラムである。
【００１８】
赤外線受信回路は、赤外線リモコンから発光されたＣ，ＤおよびＥの信号成分を受信する。
【００１９】
図１１は、バンドパスフィルタを用いた信号の取り出し方のイメージを示すスペクトル図である。４０ＫＨｚ付近の副搬送波に乗せられた元信号（以下、ベースバンド信号と記す）のみを、バンドパスフィルタの帯域ａで抽出する。
【００２０】
したがって、バンドパスフィルタの中心周波数が、副搬送波周波数に精度良く合致している必要がある。バンドパスフィルタの中心周波数がずれると、抽出する帯域が帯域ｂや帯域ｃのようにずれてしまう。このため、抽出した信号において、信号振幅が極端に減衰したり、波形歪が生じたりすることにより、受信特性が極端に悪化する。
【００２１】
このため、バンドパスフィルタの中心周波数は、集積回路チップ毎にトリミングしている。トリミングを行わない場合、一般的な集積回路における中心周波数のずれは、２０％から４０％までのずれが生じていると考えられる。通常使用されているバンドパスフィルタでは、例えば、中心周波数が１０％シフトすると信号振幅は約半分になる。これは、Ｓ／Ｎ比が５０％悪化することを意味する。
【００２２】
また、バンドパスフィルタと同等の機能である、所定の信号周波数成分を取り出す赤外線受信回路が、例えば、特許文献１に開示されている。特許文献１では、所定の周波数を調整用抵抗を用いて調整している。つまりは、調整用抵抗による調整がトリミングと等価である。
【００２３】
さらに、バンドパスフィルタを備えた赤外線受信回路が、例えば、特許文献２に開示されている。特許文献２では、バンドパスフィルタの中心周波数を、トリミングにより調整する必要がある。
【００２４】
トリミングの手段としては、従来、メタル溶断、ツエナーザップ、およびレーザートリミングの手段が利用されている。
【特許文献１】実開平６−４８２５５号公報（１９９４年６月２８日公開）
【特許文献２】実用新案登録第３０６８１８３号（２０００年２月９日登録）
【発明の開示】
【発明が解決しようとする課題】
【００２５】
しかしながら、上記特許文献１では、赤外線受信回路をＩＣ回路として構成しているため、調整用抵抗はＩＣ回路の外に追加で備えなければならない。それゆえ、抵抗を追加する分、コストが増加する。さらに、デバイス毎に所定の周波数の調整が必要と考えられ、その工数としての費用が掛かるという問題点を有している。
【００２６】
また、上記従来のトリミングの手段は、それぞれ下記の問題点を有している。
【００２７】
メタル切断は、メタル切断時の切断しろを必要とする。これにより、大きなパッドが必要となるため、チップ面積が増加してしまう。しかも、コストが増加する。
【００２８】
ツエナーザップは、ツェナ素子とパッドとが必要になる。これにより、ツェナ素子を搭載させるため、チップ面積が増加してしまう。しかも、コストが増加する。
【００２９】
レーザートリミングは、面積小であるが、ランニングコストが増加する。
【００３０】
したがって、上記３つの手段の何れも、周波数調整のためにトリミング作業に伴うコスト増加の問題点を有している。これに対し、近年、特に赤外線リモコン受信機の市場では、価格競争が激化している。それゆえ、原価に対する要求は非常に厳しい状況であるため、コストの低減が要望されている。
【００３１】
本発明は、上記従来の問題点に鑑みなされたものであって、その目的は、副搬送波の周波数領域を選択して抽出するために周波数調整が必須であるバンドパスフィルタを必要とせずに実現することができる受信復調回路、受信復調方法、および電子機器を提供することにある。
【課題を解決するための手段】
【００３２】
本発明の受信復調回路は、副搬送波の周波数領域で変調された変調信号を、変調される前の周波数領域の信号に復調する受信復調回路であって、上記変調信号の周波数領域を、当該変調信号が存在する周波数領域から、少なくとも上記変調される前の周波数領域に変換する周波数領域変換手段と、上記周波数領域変換手段にて変換された信号のうち、変調される前の周波数領域よりも高い周波数領域の信号を除去するノイズ除去手段とを備えることを特徴としている。
【００３３】
上記の構成によれば、周波数領域変換手段が、副搬送波の周波数領域で変調された変調信号の周波数領域を、当該変調信号が存在する周波数領域から、少なくとも上記変調される前の周波数領域に変換する。そして、ノイズ除去手段が、周波数領域変換手段にて変換された信号のうち、変調される前の周波数領域よりも高い周波数領域の信号を除去する。
【００３４】
これにより、周波数領域変換手段が、変調信号の周波数領域を変調される前の周波数領域に変換した後に、ノイズ除去手段が、単に、変調される前の周波数領域よりも高い周波数領域の信号を除去するだけで、変調される前の周波数領域の信号を問題なく取り出すことが可能となる。
【００３５】
それゆえ、副搬送波の周波数領域で変調された変調信号を抽出するために、副搬送波の周波数領域を選択して抽出する手段、例えば、バンドパスフィルタなどが不要となる。このため、副搬送波の周波数領域に合致するように、抽出する基準となる中心周波数を調整する作業、例えば、トリミング作業も不要となる。したがって、本発明の受信復調回路は、副搬送波の周波数領域を選択して抽出するために周波数調整が必須である手段を必要とせずに実現することが可能となる。
【００３６】
また、本発明の受信復調回路は、上記ノイズ除去手段は、上記変調される前の周波数領域を含む通過帯域を有するローパスフィルタであることが好ましい。
【００３７】
上記の構成によれば、ローパスフィルタが変調される前の周波数領域を含む通過帯域を有することにより、通過させる最大周波数（カットオフ周波数）がばらついたとしても、変調される前の周波数領域の信号の、振幅の減衰や歪みを防止することが可能となる。
【００３８】
また、本発明の受信復調回路は、上記ローパスフィルタは、１次のローパスフィルタであることが好ましい。
【００３９】
上記の構成によれば、１次のローパスフィルタであることにより、ローパスフィルタを抵抗および容量のみで簡単に実現することが可能である。また、１次のローパスフィルタは、カットオフ周波数のバラツキについても、抵抗と容量との掛け算で容易に設計することが可能である。
【００４０】
また、本発明の受信復調回路は、上記周波数領域変換手段は、上記変調信号を全波整流する全波整流回路であることが好ましい。
【００４１】
上記の構成によれば、全波整流回路が変調信号を全波整流することにより、変調前の元の信号が含んでいる情報を歪ませること無く、変調信号を変調前の周波数領域へ周波数変換することが可能となる。また、全波整流回路であることにより、周波数領域変換手段を簡単な回路で実現することが可能となる。
【００４２】
また、本発明の受信復調回路は、上記周波数領域変換手段の前段に、上記副搬送波の周波数領域よりも低い周波数領域の信号を除去するハイパスフィルタを備えることが好ましい。
【００４３】
上記の構成によれば、周波数領域変換手段の前段に、副搬送波の周波数領域よりも低い周波数領域の信号を除去するハイパスフィルタを備えることにより、外乱ノイズや内部雑音を除去する。これにより、変調信号の周波数領域の変換の前に、外乱ノイズや内部雑音により回路動作が飽和することを防止することが可能となる。
【００４４】
また、本発明の受信復調回路は、光通信によって受信した副搬送波の周波数領域で変調された変調信号を、変調される前の周波数領域の信号に復調する受信復調回路であって、上記光通信の受信によって光電流信号として入力された上記変調信号を、電圧信号の上記変調信号に変換する電流電圧変換手段と、上記電流電圧変換手段から出力された変調信号の周波数領域を、当該変調信号が存在する周波数領域から、少なくとも上記変調される前の周波数領域に変換する周波数領域変換手段と、上記周波数領域変換手段にて変換された信号のうち、変調される前の周波数領域よりも高い周波数領域の信号を除去するノイズ除去手段と、上記ノイズ除去手段から出力された信号のパルスの有無を検出する検出回路とを備えることを特徴としている。
【００４５】
上記の構成によれば、電流電圧変換手段が、光通信の受信によって光電流信号として入力された変調信号を、電圧信号の上記変調信号に変換する。そして、周波数領域変換手段が、電流電圧変換手段から出力された変調信号の周波数領域を、当該変調信号が存在する周波数領域から、少なくとも上記変調される前の周波数領域に変換する。そして、ノイズ除去手段が、周波数領域変換手段にて変換された信号のうち、変調される前の周波数領域よりも高い周波数領域の信号を除去する。そして、検出回路が、ノイズ除去手段から出力された信号のパルスの有無を検出する。
【００４６】
これにより、光通信の受信によって光電流信号として入力された変調信号においても、電流電圧変換手段が電圧信号の変調信号に変換し、周波数領域変換手段が、変調信号の周波数領域を変調される前の周波数領域に変換した後に、ノイズ除去手段が、単に、変調される前の周波数領域よりも高い周波数領域の信号を除去するだけで、変調される前の周波数領域の信号を問題なく取り出すことが可能となる。さらに、検出回路により、取り出した信号の情報を復調することが可能となる。
【００４７】
それゆえ、副搬送波の周波数領域で変調された変調信号を抽出するために、副搬送波の周波数領域を選択して抽出する手段、例えば、バンドパスフィルタなどが不要となる。このため、副搬送波の周波数領域に合致するように、抽出する基準となる中心周波数を調整する作業、例えば、トリミング作業も不要となる。したがって、本発明の受信復調回路は、副搬送波の周波数領域を選択して抽出するために周波数調整が必須である手段を必要とせずに実現することが可能となる。
【００４８】
また、本発明の受信復調回路は、上記周波数領域変換手段の後段、かつ、上記ノイズ除去手段の前段に、上記周波数領域変換手段から出力された信号を増幅する増幅回路を備えることが好ましい。
【００４９】
上記の構成によれば、周波数領域変換手段にて変調信号の周波数変換が行われた後に、増幅回路が周波数領域変換手段から出力された信号を増幅する。これにより、増幅回路の周波数帯域が変調される前の周波数帯域しか必要としない。このため、増幅回路の性能への要求が少なくなり、増幅回路の規模の削減、および消費電流の低減に貢献することが可能となる。
【００５０】
また、本発明の受信復調回路は、上記電流電圧変換手段は、上記周波数領域変換手段と、上記副搬送波の周波数領域よりも低い周波数領域の信号を除去するハイパスフィルタとを内蔵して構成されることが好ましい。
【００５１】
上記の構成によれば、電流電圧変換手段内に、周波数領域変換手段とハイパスフィルタとを内蔵するため、受信復調回路全体の回路規模の削減が可能となる。
【００５２】
上記の内蔵して構成した電流電圧変換手段としては、以下のような構成が可能である。
【００５３】
上記内蔵して構成した電流電圧変換手段は、上記光通信の受信によって光電流信号としての変調信号が入力される入力部と、一方の端子が上記入力部に接続され、他方の端子が接地またはインピーダンス素子に接続される第１抵抗と、一方の端子が上記入力部に接続される第１容量素子と、反転入力端子、非反転入力端子、反転出力端子、および非反転出力端子を有しており、上記非反転入力端子が上記第１容量素子の他方の端子に接続される差動増幅回路と、一方の端子が上記非反転入力端子に接続され、他方の端子が上記反転出力端子に接続される第２抵抗と、一方の端子が上記反転入力端子に接続され、他方の端子が上記非反転出力端子に接続される第３抵抗と、第１入力端子が上記差動増幅回路の非反転出力端子に接続され、第２入力端子が上記差動増幅回路の反転出力端子に接続されるＯＲ回路とにより構成されることが好ましい。
【００５４】
また、本発明の受信復調方法は、副搬送波の周波数領域で変調された変調信号を、変調される前の周波数領域の信号に復調する受信復調方法であって、上記変調信号の周波数領域を、当該変調信号が存在する周波数領域から、少なくとも上記変調される前の周波数領域に変換するステップと、上記ステップにて変換された信号のうち、変調される前の周波数領域よりも高い周波数領域の信号を除去するステップとを含むことを特徴としている。
【００５５】
上記の構成によれば、変調信号の周波数領域を変調される前の周波数領域に変換した後に、単に、変調される前の周波数領域よりも高い周波数領域の信号を除去することにより、変調される前の周波数領域の信号を問題なく取り出すことが可能となる。
【００５６】
それゆえ、副搬送波の周波数領域で変調された変調信号を抽出するために、副搬送波の周波数領域を選択して抽出するステップが不要となる。このため、副搬送波の周波数領域に合致するように、抽出する基準となる中心周波数を調整する作業も不要となる。したがって、本発明の受信復調方法は、副搬送波の周波数領域を選択して抽出するために周波数調整が必須であるステップを不要とすることが可能となる。
【００５７】
また、本発明の電子機器は、上記受信復調回路を搭載することを特徴としている。
【００５８】
上記の構成によれば、上記受信復調回路を搭載する電子機器は、当該受信復調回路を赤外線受信器、特にリモコン受光ユニット用ＩＣの設計に使用することにより、非常に低価格の赤外線受信器を備える電子機器を実現することが可能となる。
【発明の効果】
【００５９】
以上のように、本発明の受信復調回路は、変調信号の周波数領域を、当該変調信号が存在する周波数領域から、少なくとも変調される前の周波数領域に変換する周波数領域変換手段と、上記周波数領域変換手段にて変換された信号のうち、変調される前の周波数領域よりも高い周波数領域の信号を除去するノイズ除去手段とを備える構成である。
【００６０】
これにより、周波数領域変換手段が、変調信号の周波数領域を変調される前の周波数領域に変換した後に、ノイズ除去手段が、単に、変調される前の周波数領域よりも高い周波数領域の信号を除去するだけで、変調される前の周波数領域の信号を問題なく取り出すことが可能となる。
【００６１】
それゆえ、副搬送波の周波数領域で変調された変調信号を抽出するために、副搬送波の周波数領域を選択して抽出する手段、例えば、バンドパスフィルタなどが不要となる。このため、副搬送波の周波数領域に合致するように、抽出する基準となる中心周波数を調整する作業、例えば、トリミング作業も不要となる。
【００６２】
したがって、本発明の受信復調回路は、副搬送波の周波数領域を選択して抽出するために周波数調整が必須である手段を必要とせずに実現することができるという効果を奏する。さらに、副搬送波の周波数領域を選択して抽出するために周波数調整が必須である手段に関わるコストを削減できる効果を有する。
【００６３】
また、本発明の受信復調回路は、光通信の受信によって光電流信号として入力された変調信号を、電圧信号の変調信号に変換する電流電圧変換手段と、上記電流電圧変換手段から出力された変調信号の周波数領域を、当該変調信号が存在する周波数領域から、少なくとも変調される前の周波数領域に変換する周波数領域変換手段と、上記周波数領域変換手段にて変換された信号のうち、変調される前の周波数領域よりも高い周波数領域の信号を除去するノイズ除去手段と、上記ノイズ除去手段から出力された信号のパルスの有無を検出する検出回路とを備える構成である。
【００６４】
これにより、光通信の受信によって光電流信号として入力された変調信号においても、電流電圧変換手段が電圧信号の変調信号に変換し、周波数領域変換手段が、変調信号の周波数領域を変調される前の周波数領域に変換した後に、ノイズ除去手段が、単に、変調される前の周波数領域よりも高い周波数領域の信号を除去するだけで、変調される前の周波数領域の信号を問題なく取り出すことが可能となる。さらに、検出回路により、取り出した信号の情報を復調することが可能となる。
【００６５】
それゆえ、副搬送波の周波数領域で変調された変調信号を抽出するために、副搬送波の周波数領域を選択して抽出する手段、例えば、バンドパスフィルタなどが不要となる。このため、副搬送波の周波数領域に合致するように、抽出する基準となる中心周波数を調整する作業、例えば、トリミング作業も不要となる。
【００６６】
したがって、本発明の受信復調回路は、副搬送波の周波数領域を選択して抽出するために周波数調整が必須である手段を必要とせずに実現することができるという効果を奏する。さらに、副搬送波の周波数領域を選択して抽出するために周波数調整が必須である手段に関わるコストを削減できる効果を有する。
【００６７】
また、本発明の受信復調方法は、変調信号の周波数領域を、当該変調信号が存在する周波数領域から、少なくとも変調される前の周波数領域に変換するステップと、上記ステップにて変換された信号のうち、変調される前の周波数領域よりも高い周波数領域の信号を除去するステップとを含む方法である。
【００６８】
このため、変調信号の周波数領域を変調される前の周波数領域に変換した後に、単に、変調される前の周波数領域よりも高い周波数領域の信号を除去することにより、変調される前の周波数領域の信号を問題なく取り出すことが可能となる。
【００６９】
それゆえ、副搬送波の周波数領域で変調された変調信号を抽出するために、副搬送波の周波数領域を選択して抽出するステップが不要となる。このため、副搬送波の周波数領域に合致するように、抽出する基準となる中心周波数を調整する作業も不要となる。
【００７０】
したがって、本発明の受信復調方法は、副搬送波の周波数領域を選択して抽出するために周波数調整が必須であるステップを不要とすることができるという効果を奏する。さらに、副搬送波の周波数領域を選択して抽出するために周波数調整が必須であるステップに関わるコストを削減できる効果を有する。
【００７１】
また、本発明の電子機器は、上記受信復調回路を搭載している。
【００７２】
それゆえ、上記受信復調回路を搭載する電子機器は、当該受信復調回路を赤外線受信器、特にリモコン受光ユニット用ＩＣの設計に使用することにより、非常に低価格の赤外線受信器を備える電子機器を実現することができるという効果を奏する。例えば、電子機器として、ＴＶやビデオプレイヤー、ビデオレコーダー、ＤＶＤプレイヤー、ＤＶＤレコーダーなどの非常にコスト要求の厳しい赤外線受信器を備える家庭用電子機器を実現することができる。
【００７３】
また、赤外線通信で標準規格化されているＩｒＤＡ−Ｃｏｎｔｒｏｌなどの副搬送波方式の通信の受信においても、全く同様の効果を有する。
【発明を実施するための最良の形態】
【００７４】
本発明の一実施形態について図１〜図７に基づいて説明すれば、以下の通りである。
【００７５】
図１は、本実施の形態の赤外線受信回路１００の一構成例を示すブロック図である。
【００７６】
本実施の形態の赤外線受信回路１００（受信復調回路）は、副搬送波による変調を用いた光通信方式で使用可能な、赤外線通信機能を有する電子機器の受信器に搭載されるものであり、受信した変調信号を復調する回路である。そして、赤外線受信回路１００は、復調した信号を、例えば、電子機器を制御するマイコンなどに出力する。
【００７７】
本実施の形態の赤外線受信回路１００は、図１に示すように、フォトダイオード（ＰＤ）１０１（入力部）、電流電圧変換回路部１０２（電流電圧変換手段）、増幅回路１０３、ハイパスフィルタ（ＨＰＦ）１０４、整流回路１０５（周波数領域変換手段）、ローパスフィルタ（ＬＰＦ）１０６（ノイズ除去手段）、検出回路１０７、積分回路１０８、およびヒステリシスコンパレータ回路１０９を備えている。
【００７８】
本実施の形態の赤外線受信回路１００は、赤外線を受信するとＰＤ１０１にて発生する光電流信号を入力し、集積化された受信チップ１０で復調して出力する。上記赤外線受信回路１００の構成のうち、ＰＤ１０１を除く構成部分が、集積化され受信チップ１０を構成している。
【００７９】
また、受信チップ１０には、ＰＤ１０１からの信号が入力される入力端子ＩＮ、ヒステリシスコンパレータ回路１０９からの信号が出力される出力端子ＯＵＴ、電源が供給される電源端子Ｖｃｃ（Ｖｄｄ）、ＧＮＤが接続されるグランド端子ＧＮＤ、ＬＰＦ１０６の出力信号ＬＰＦ＿ｏｕｔが接続される端子、および、キャリア検出レベルＤｅｔの信号が接続される端子などの信号入出力口が設けられている。
【００８０】
ＰＤ１０１は、受信チップ１０外に設けられている外付けＰＤであり、赤外線受信回路１００の入力部としての役割を有している。カソードが受信チップ１０の入力端子ＩＮに接続され、アノードが接地されている。ＰＤ１０１は、赤外線の光信号を受信（検出）すると電流信号を流す。これにより、受信チップ１０に電流信号が入力される。
【００８１】
電流電圧変換回路部１０２は、入力端子ＩＮから入力された電流信号を、当該電流信号から電圧信号に変換して、増幅回路１０３に出力する。入力端子ＩＮから入力された電流信号は、すなわち副搬送波の周波数領域で変調された変調信号である。
【００８２】
また、詳細には、電流電圧変換回路部１０２は、初段アンプ（ＨＡ）１１１により構成されている。つまりは、ＨＡ１１１は、入力端子ＩＮから入力された電流信号を、増幅すると共に、当該電流信号から電圧信号に変換している。
【００８３】
増幅回路１０３は、電流電圧変換回路部１０２から出力された電圧信号を増幅して、ＨＰＦ１０４に出力する。また、詳細には、増幅回路１０３は、２段目アンプ（２ｎｄＡＭＰ）１１２、コンデンサ１１３、および３段目アンプ（３ｒｄＡＭＰ）１１４により構成されている。つまりは、ＨＡ１１１から出力された電圧信号を、２ｎｄＡＭＰ１１２は一旦増幅し、その出力信号をコンデンサ１１３を通過させてから、３ｒｄＡＭＰ１１４が再度増幅している。
【００８４】
ＨＰＦ１０４は、増幅回路１０３から出力された電圧信号における低周波のノイズを除去する。詳細には、ＨＰＦ１０４は、副搬送波の周波数領域よりも低い周波数領域の信号を除去するように、最低周波数（カットオフ周波数）が設定されている。これにより、ＨＰＦ１０４は、副搬送波の周波数領域よりも低い周波数領域の信号を除去すると同時に、高周波の電圧信号を抽出して、整流回路１０５に出力する。
【００８５】
整流回路１０５は、ＨＰＦ１０４から出力された電圧信号を整流して、ＬＰＦ１０６に出力する。整流回路１０５は、全波整流回路である。なお、全波整流回路の詳細な構成については後述する。
【００８６】
ＬＰＦ１０６は、整流回路１０５から出力された電圧信号における高周波のノイズを除去する。詳細には、ＬＰＦ１０６は、ベースバンド信号の周波数領域を含む通過帯域を有するように、最大周波数（カットオフ周波数）が設定されている。これにより、ＬＰＦ１０６は、ベースバンド信号の周波数領域よりも高い周波数領域の信号を除去すると同時に、ベースバンド信号を取り出して、検出回路１０７および受信チップ外に出力する。ＬＰＦ１０６は、１次のローパスフィルタである。
【００８７】
また、ＬＰＦ１０６は、ＬＰＦ１０６の出力信号ＬＰＦ＿ｏｕｔが接続される端子、および、キャリア検出レベルＤｅｔの信号が接続される端子などの信号入出力口と接続されており、受信チップ１０外との信号のやり取りが可能となっている。
【００８８】
検出回路１０７は、ＬＰＦ１０６から出力された信号およびキャリア検出レベルの信号に基づいて、パルス（キャリア）の有無を検出して、ベースバンド信号を検出する。検出回路１０７は、検出した信号を積分回路１０８に出力する。
【００８９】
積分回路１０８は、検出回路１０７から出力されたベースバンド信号を積分して波形を生成し、ヒステリシスコンパレータ回路１０９に出力する。
【００９０】
ヒステリシスコンパレータ回路１０９は、積分回路１０８から出力された信号とスレッシュレベルとに基づいて、パルス信号を生成し、出力端子ＯＵＴに出力する。
【００９１】
次に、上記構成を有する本実施の形態の赤外線受信回路１００の回路動作について説明する。
【００９２】
図２（ａ）〜（ｇ）は、赤外線受信回路１００の各部における、各出力の信号波形を示す図である。
【００９３】
ＰＤ１０１が光信号を検出すると、光電流信号ｉ＿ｉｎが流れる。光電流信号ｉ＿ｉｎは、図２（ａ）に示すような信号波形を有している。光電流信号ｉ＿ｉｎは３０〜６０ＫＨｚのキャリアで変調された信号であり、３８ＫＨｚのキャリアで変調された信号が一般的である。光電流信号ｉ＿ｉｎは、電流電圧変換回路部１０２に入力される。
【００９４】
続いて、光電流信号ｉ＿ｉｎは、電流電圧変換回路部１０２にて、増幅されると共に電流信号から電圧信号に変換される。そして、電流電圧変換回路部１０２から出力された信号は、増幅回路１０３にて増幅され、ＨＰＦ１０４に出力される。
【００９５】
ＨＰＦ１０４では、低周波のノイズが除去されたＨＰＦ信号ｈｐｆ＿ｏｕｔが出力される。このＨＰＦ信号ｈｐｆ＿ｏｕｔは、理想的には、図２（ｂ）に示すような信号波形が望まれる。しかし、実際は、ＨＰＦ信号ｈｐｆ＿ｏｕｔは、図２（ｃ）に示すような、ノイズを含む信号波形を有している。なお、簡略化のため、網掛けでノイズが信号に混在しているイメージを示している。
【００９６】
続いて、ＨＰＦ信号ｈｐｆ＿ｏｕｔは、整流回路１０５にて整流される。整流後の信号Ｒｅｃ＿ｏｕｔは、図２（ｄ）に示すような信号波形を有している。整流回路１０５は、全波整流回路であるので、信号Ｒｅｃ＿ｏｕｔは、全波整流されている。なお、図２（ｃ）と同様に、網掛けは信号に混在するノイズを示している。
【００９７】
続いて、信号Ｒｅｃ＿ｏｕｔは、ＬＰＦ１０６にて高周波のノイズが除去される。ＬＰＦ１０６から出力された出力信号ＬＰＦ＿ｏｕｔは、図２（ｅ）に示すような信号波形を有している。また、キャリア検出レベルＤｅｔが、図２（ｅ）に示すように設定される。なお、図２（ｃ）と同様に、網掛けは信号に混在するノイズを示しており、この時点でほとんどのノイズが除去されている。
【００９８】
続いて、出力信号ＬＰＦ＿ｏｕｔおよびキャリア検出レベルＤｅｔに基づいて、検出回路１０７にてベースバンド信号が検出される。そして、その出力信号が、積分回路１０８にて積分される。積分回路１０８から出力された出力信号Ｉｎｔは、図２（ｆ）に示すような信号波形を有している。
【００９９】
また、積分回路１０８から出力された出力信号Ｉｎｔは、ヒステリシスコンパレータ回路１０９に入力され、スレッシュレベルと比較される。このスレッシュレベルは、図２（ｆ）に示すように設定されている。
【０１００】
最後に、ヒステリシスコンパレータ回路１０９から信号が出力され、出力端子ＯＵＴから出力信号ｏｕｔが出力される。出力信号ｏｕｔは、図２（ｇ）に示すような信号波形を有している。この出力信号ｏｕｔは、本実施の形態の赤外線受信回路１００が出力する復調信号である。
【０１０１】
以上のように、本実施の形態の赤外線受信回路１００では、従来の赤外線受信回路１００にて必須の構成であったバンドパスフィルタを備えなくても、信号を復調することが可能となっている。これについて、図３を参照しながら詳細に説明する。
【０１０２】
図３は、本発明の概念を信号の周波数スペクトルで説明した図である。横軸が周波数、縦軸が相対振幅を示すイメージである。
【０１０３】
従来の赤外線受信回路１００では、図１１に示したように、ＢＰＦ５０７を用いて副搬送波周波数の変調信号から必要な信号成分を直接抽出していた。言い換えると、ＢＰＦ５０７で不要なノイズを除去していた。副搬送波周波数で信号を取り出す場合、ＢＰＦ５０７には、低周波と高周波の両方のノイズと除去する必要があるため、中心周波数の精度も要求される。
【０１０４】
これに対し、本実施の形態の赤外線受信回路１００では、副搬送波に載せられ、４０ＫＨｚの副搬送波周波数の両側に存在するベースバンド信号を、元の周波数領域へ変換してから、ＬＰＦ１０６で信号を取り出している。
【０１０５】
詳細には、整流回路１０５において信号が全波整流されることにより、図３に示す矢印Ｘに示すように、ベースバンド信号成分（ベースバンドスペクトラム）と、矢印Ｙに示すように、副搬送波の２倍の高周波成分Ｆとが発生する。つまりは、整流回路１０５が、入力信号に対して、副搬送波の周波数領域から元信号の周波数領域へ変換する回路部分となっている。
【０１０６】
そして、ベースバンド信号の周波数領域へ変換した後の信号は、続くＬＰＦ１０６の帯域ｐにより、副搬送波の２倍の周波数成分は捨て、必要な信号成分であるベースバンド信号成分のみを取り出す。言い換えると、ベースバンド信号より高い周波数のノイズ、すなわち不要なノイズを除去することとなる。
【０１０７】
この方法の場合、ベースバンド信号の帯域を確保できる通過帯域のＬＰＦ１０６であれば、カットオフ周波数がばらついても、ベースバンド信号の信号振幅の減衰や、信号波形の歪はほとんど発生しない。それゆえ、ＬＰＦ１０６のカットオフ周波数の精度は、ＢＰＦの中心周波数の精度ほどは必要とされない。
【０１０８】
従来の副搬送波周波数で、信号を取り出す場合は、周波数ずれが、特性へ大きな影響を与えたが、ＬＰＦ１０６の場合、カットオフ周波数のずれは、ＩＣ内部の熱雑音量の若干の変動にとどまる。この場合、例えば、カットオフ周波数が１０％ずれた場合でも、熱雑音振幅は５％程度の増加であり、Ｓ／Ｎ比の悪化は５％にとどまる。
【０１０９】
よって、本実施の形態の赤外線受信回路１００では、ＢＰＦを備えなくても、従来と同等の機能を有する復調機能を実現することが可能となっている。それゆえ、ＢＰＦを備えないので、所望する周波数の信号を抽出するために、中心周波数を調整するトリミング作業が不要となる。したがって、本実施の形態の赤外線受信回路１００は、副搬送波の周波数領域を選択して抽出するために周波数調整が必須であるＢＰＦを必要とせずに実現することが可能となる。
【０１１０】
また、本実施の形態の赤外線受信回路１００では、ＬＰＦ１０６は１次のローパスフィルタである。
【０１１１】
１次のローパスフィルタは、抵抗および容量のみで簡単に実現することが可能である。また、１次のローパスフィルタは、カットオフ周波数のバラツキについても、抵抗と容量との掛け算で容易に設計できるメリットがある。
【０１１２】
従来、副搬送波周波数で信号を取り出す場合に２次のバンドパスフィルタで構成していたフィルタは、ローパスフィルタでベースバンド信号を取り出してノイズ除去する場合、１次のローパスフィルタの次定数に相当する。それゆえ、２次のバンドパスフィルタで構成したバンドパスフィルタの代替として、１次のローパスフィルタのＬＰＦ１０６で同様の効果を得ることが可能となる。
【０１１３】
また、ＬＰＦ１０６を１次のローパスフィルタとすることは、回路規模と性能との両面から非常に効率的である。なお、ＬＰＦ１０６は、１次のローパスフィルタに限らず、高次のローパスフィルタを使用してもよい。これにより、さらにノイズ除去性能を向上することが可能となる。
【０１１４】
また、本実施の形態の赤外線受信回路１００では、整流回路１０５の前段にＨＰＦ１０４を備えている。
【０１１５】
信号を整流してＬＰＦ１０６でノイズを取り除く前段階において、特に外乱ノイズにより回路が飽和してしまった場合に、整流してローパスフィルタでノイズを除去したとしても、元のベースバンド信号の情報が失われている可能性がある。
【０１１６】
この場合を防止するために、副搬送波周波数の信号領域において、ある程度のノイズを除去することが効果的である。
【０１１７】
よって、整流回路１０５の前段にＨＰＦ１０４を備えることにより、外乱ノイズや内部雑音を除去する。これにより、信号を整流する前に、外乱ノイズや内部雑音により回路動作が飽和することを防止することが可能となる。
【０１１８】
また、本実施の形態の赤外線受信回路１００では、整流回路１０５は全波整流回路である。
【０１１９】
全波整流回路は、非常に簡単に実現することが可能な回路である。
【０１２０】
図４は、全波整流回路２００の一構成例を示す回路図である。
【０１２１】
全波整流回路２００は、図４に示すように、バイポーラトランジスタ２０１〜２０４、抵抗２０５〜２０７、定電流源２０８〜２１０、電源端子ＶＣＣ、入力端子Ｖｉｎ、および出力端子Ｖｏｕｔ（Ｒｅｃ＿ｏｕｔ）を備えている。
【０１２２】
全波整流回路２００では、ＨＰＦ１０４から出力されたＨＰＦ信号ｈｐｆ＿ｏｕｔが入力端子Ｖｉｎに入力され、全波整流されて、出力端子Ｖｏｕｔ（Ｒｅｃ＿ｏｕｔ）から、信号Ｒｅｃ＿ｏｕｔが出力される。
【０１２３】
これにより、本実施の形態の赤外線受信回路１００は、全波整流回路２００を備えることによって、ベースバンド信号が含んでいる情報を歪ませること無く、入力した信号をベースバンド信号領域へ周波数変換することが可能となる。
【０１２４】
なお、整流回路１０５は、全波整流回路が用いられるが、これに限らず、例えば、半波整流回路などでもよい。
【０１２５】
図５は、半波整流回路２５０の一構成例を示す回路図である。
【０１２６】
半波整流回路２５０は、図５に示すように、バイポーラトランジスタ２５１〜２５４、抵抗２５５〜２５７、定電流源２５８〜２６０、定電圧源２６１、電源端子ＶＣＣ、入力端子Ｖｉｎ、および出力端子Ｖｏｕｔ（Ｒｅｃ＿ｏｕｔ）を備えている。
【０１２７】
半波整流回路２５０では、ＨＰＦ１０４から出力されたＨＰＦ信号ｈｐｆ＿ｏｕｔが入力端子Ｖｉｎに入力され、半波整流されて、出力端子Ｖｏｕｔ（ｈ＿Ｒｅｃ＿ｏｕｔ）から、信号Ｒｅｃ＿ｏｕｔが出力される。
【０１２８】
これにより、信号Ｒｅｃ＿ｏｕｔに含まれる情報量は減少するが、全波整流回路２００と同様に、簡単な回路で、ベースバンド信号の情報を歪ませること無く、入力した信号をベースバンド信号領域へ周波数変換することが可能となる。
【０１２９】
また、本実施の形態の赤外線受信回路１００は、図６に示すように構成してもよい。
【０１３０】
図６は、本実施の形態の赤外線受信回路３００の一構成例を示すブロック図である。
【０１３１】
本実施の形態の赤外線受信回路３００（受信復調回路）は、赤外線受信回路１００と同様の構成要素を備えている。赤外線受信回路１００を異なる点は、図６に示すように、電流電圧変換回路部１０２と増幅回路１０３との間、すなわち電流電圧変換回路部１０２の直後に、整流回路１０５を配置している点である。赤外線受信回路３００では、電流電圧変換回路部１０２、整流回路１０５、増幅回路１０３、ＨＰＦ１０４、ＬＰＦ１０６の順に接続される。
【０１３２】
上記の構成によれば、赤外線受信回路３００は、電流電圧変換回路部１０２から出力された電圧信号を、まず、整流回路１０５にてベースバンド信号の周波数領域へ変換した後に、増幅回路１０３以降の処理を行う。
【０１３３】
これにより、増幅回路１０３の周波数帯域がベースバンド信号の周波数帯域しか必要としない。このため、増幅回路１０３の性能への要求が少なくなり、増幅回路１０３の規模の削減、および消費電流の低減に貢献できるメリットがある。
【０１３４】
また、本実施の形態の赤外線受信回路は、ハイパスフィルタと、整流回路１０５の機能に相当する、副搬送波の周波数領域から元信号の周波数領域へ変換する機能を有する周波数領域変換回路とを、電流電圧変換回路部１０２に内蔵して構成してもよい。
【０１３５】
図７は、ハイパスフィルタと周波数領域変換回路とを、光電流信号の電流電圧変換アンプに内蔵した場合の等価回路４００を示す回路図である。
【０１３６】
等価回路４００は、図７に示すように、ＰＤ１０１、抵抗４０１（第１抵抗）、コンデンサ４０２（第１容量素子）、抵抗４０３、コンデンサ４０４、差動増幅回路４０５、抵抗４０６（第２抵抗）、抵抗４０７（第３抵抗）、ＯＲ回路４０８、および出力端子Ｖｏｕｔ（ＨＡ＿Ｒｅｃ＿ｏｕｔ）により構成されている。
【０１３７】
また、抵抗４０１およびコンデンサ４０２で構成される部分が、ハイパスフィルタ４１１である。差動増幅回路４０５、抵抗４０６、および抵抗４０７で構成される部分が、電流電圧変換回路部４１２（電流電圧変換手段）である。ＯＲ回路４０８で構成される部分が、周波数領域変換回路４１３（周波数領域変換手段）である。
【０１３８】
抵抗４０１は、一方の端子がＰＤ１０１のカソード側と接続され、他方の端子が接地されている。
【０１３９】
コンデンサ４０２は、一方の端子が、ＰＤ１０１のカソード側であって、抵抗４０１が接続されている地点よりも後段に接続されている。
【０１４０】
差動増幅回路４０５は、反転入力端子、非反転入力端子、反転出力端子、および非反転出力端子を有している。反転入力端子は、コンデンサ４０４、抵抗４０３の順番を介して接地されている。非反転入力端子は、コンデンサ４０２の他方の端子に接続されている。反転出力端子および非反転出力端子は、ＯＲ回路４０８の入力端子にそれぞれ接続されている。
【０１４１】
また、反転出力端子と非反転入力端子とが、抵抗４０６を介して接続されている。非反転出力端子と反転入力端子とが、抵抗４０７を介して接続されている。
【０１４２】
ＯＲ回路４０８は、差動増幅回路４０５の非反転出力端子に接続される第１入力端子、および、差動増幅回路４０５の反転出力端子に接続される第２入力端子を有している。ＯＲ回路４０８は、差動増幅回路４０５の反転出力端子の出力信号および非反転出力端子の出力信号に基づいて、出力端子Ｖｏｕｔ（ＨＡ＿Ｒｅｃ＿ｏｕｔ）に、出力信号ＨＡ＿Ｒｅｃ＿ｏｕｔを出力する。
【０１４３】
上記の構成によれば、ＰＤ１０１の光電流信号を、ハイパスフィルタ４１１を介して差動増幅回路４０５を使用した電流電圧変換回路部４１２で受け、その差動出力をアナログのＯＲ回路４０８に入力する。そして、ＯＲ回路４０８が、出力端子Ｖｏｕｔ（ＨＡ＿Ｒｅｃ＿ｏｕｔ）に出力信号ＨＡ＿Ｒｅｃ＿ｏｕｔを出力する。
【０１４４】
また、ハイパスフィルタ４１１のカットオフ周波数ｆｃｈは、
ｆｃｈ＝１／（２πＣＲ）
で表され、例えば、ｆｃｈ＝２０ＫＨｚに設定する場合は、Ｒ＝５００Ｋ、Ｃ＝１６ｐＦとなる。
【０１４５】
よって、ハイパスフィルタ４１１、電流電圧変換回路部４１２、および周波数領域変換回路４１３により構成された等価回路４００として、周波数領域変換回路とハイパスフィルタとを電流電圧変換回路部１０２に内蔵して構成することにより、簡単に少ない素子数で受信復調回路を実現し、回路規模の削減が可能となる。
【０１４６】
なお、抵抗４０１および抵抗４０３は、ＧＮＤに接地した例を記載しているが、これに限らず、抵抗４０１および抵抗４０３は、任意の低インピーダンスの電圧源（インピーダンス素子）に接続してもよい。
【０１４７】
また、上記赤外線受信回路１００および３００を搭載する電子機器は、当該赤外線受信回路を赤外線受信器、特にリモコン受光ユニット用ＩＣの設計に使用することにより、非常に低価格の赤外線受信器を備える電子機器を実現することが可能となる。
【０１４８】
電子機器は、例えば、ＴＶやビデオプレイヤー、ビデオレコーダー、ＤＶＤプレイヤー、ＤＶＤレコーダー、エアコンなどの、世界的に非常に普及している家庭用電子機器や、キャリアを含む信号の復調器などである。
【０１４９】
また、本実施の形態の赤外線受信回路１００および３００は、赤外線通信において受信した信号を復調する場合について説明したが、これに限らず、赤外線以外の光通信や、電磁波通信などの、副搬送波で変調された信号（キャリアを含む信号）を受信して復調する受信復調回路においても適用可能である。
【０１５０】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５１】
本発明は、ＴＶやビデオプレイヤー、ビデオレコーダー、ＤＶＤプレイヤー、ＤＶＤレコーダー、エアコンなどの家庭用電子機器の、副搬送波による変調を用いた光通信方式で用いる赤外線受信器に適用できるが、これに限らず、その他の分野にも適用することができる。例えば、キャリアを含む信号の復調器や、通信機能を備える工場用電子機器などに適用することができる。また、赤外線通信で標準規格化されているＩｒＤＡ−Ｃｏｎｔｒｏｌなどの副搬送波方式の通信の受信においても、適用可能である。
【図面の簡単な説明】
【０１５２】
【図１】本発明における受信復調回路の実施の一形態を示すブロック図である。
【図２】（ａ）〜（ｇ）は、上記受信復調回路における各部の出力信号波形を示す図である。
【図３】上記受信復調回路における、信号の取り出し方を信号のスペクトルで示す図である。
【図４】上記受信復調回路における全波整流回路の構成を示す回路図である。
【図５】上記受信復調回路における半波整流回路の構成を示す回路図である。
【図６】本発明における受信復調回路の他の実施の形態を示すブロック図である。
【図７】上記受信復調回路における、ハイパスフィルタと周波数領域変換回路とを電流電圧変換回路部に内蔵して構成した場合の等価回路を示す回路図である。
【図８】従来の受信復調回路の構成を示すブロック図である。
【図９】（ａ）〜（ｄ）は、上記従来の受信復調回路における各部の出力信号波形を示す図である。
【図１０】副搬送波方式の信号のスペクトルを示す図である。
【図１１】上記従来の受信復調回路における、従来の信号の取り出し方を信号のスペクトルで示す図である。
【符号の説明】
【０１５３】
１０  受信チップ
１００  赤外線受信回路（受信復調回路）
１０１  フォトダイオード（入力部）
１０２  電流電圧変換回路部（電流電圧変換手段）
１０３  増幅回路
１０４  ハイパスフィルタ
１０５  整流回路（周波数領域変換手段）
１０６  ローパスフィルタ（ノイズ除去手段）
１０７  検出回路
１０８  積分回路
１０９  ヒステリシスコンパレータ回路
２００  全波整流回路
２５０  半波整流回路
３００  赤外線受信回路（受信復調回路）
４００  等価回路
４０１  抵抗（第１抵抗）
４０２  コンデンサ（第１容量素子）
４０３  抵抗
４０４  コンデンサ
４０５  差動増幅回路
４０６  抵抗（第２抵抗）
４０７  抵抗（第３抵抗）
４０８  ＯＲ回路
４１１  ハイパスフィルタ
４１２  電流電圧変換回路部（電流電圧変換手段）
４１３  周波数領域変換回路（周波数領域変換手段）
【図１】
2008187540.tif 000003
【図２】
2008187540.tif 000004
【図３】
2008187540.tif 000005
【図４】
2008187540.tif 000006
【図５】
2008187540.tif 000007
【図６】
2008187540.tif 000008
【図７】
2008187540.tif 000009
【図８】
2008187540.tif 000010
【図９】
2008187540.tif 000011
【図１０】
2008187540.tif 000012
【図１１】
2008187540.tif 000013